(57)【要約】【課題】記録媒体と外部機器とのコネクタ部を保護する蓋部材を有しており、記録媒体の保護とコネクタの利用が両立でき、確実な記録媒体への記録、または、読み取りが可能な記録媒体収納装置を提供する。【解決手段】このデジタルカメラ１に適用される記録媒体収納装置は、カメラ左方側のコネクタ・カード室４１と、防水パッキン４４が装着され、コネクタ・カード室４１を開閉するコネクタ蓋３８とからなり、上記コネクタ・カード室４１には、カードスロット１０およびその挿入開口部４１ａと、ビデオ出力端子部１２およびＵＳＢ端子部１３と、上記挿入開口部４１ａを開閉するカード蓋３９とが配される。上記端子部非接続状態では、メモリカード２０を装着後、カード蓋３９を閉じ、コネクタ蓋３８を閉鎖状態としてメモリカードへの書き込み、読み出しが行われ、上記端子部接続状態では、コネクタ蓋３８の開放状態でメモリカード２０への書き込み、読み出しを行われる。【選択図】    図３
2004214973.tif 000002
【特許請求の範囲】
【請求項１】
記録媒体収納用の開口と、
上記開口の近傍に配置され、機器内部と電気的な接続を行なうためのコネクタ部と、
上記開口の近傍に配置され、上記開口に収納された記録媒体の排出操作を選択的に禁止する排出禁止手段と、
上記開口と上記コネクタ及び上記排出禁止手段を外部から保護するための開閉可能な蓋部材と、
を備えたことを特徴とする記録媒体収納装置。
【請求項２】
上記排出禁止手段は、上記排出操作を禁止するときには上記開口に装着された記録媒体の露出した端部の少なくとも一部を覆うようなカバー部を備えたことを特徴とする請求項１記載の記録媒体収納装置。
【請求項３】
上記記録媒体の突出した端部の中で上記排出禁止手段によって覆われていない部分に沿うように、上記開口に近傍に突出部を形成したことを特徴とする請求項２記載の記録媒体収納装置。
【請求項４】
上記排出禁止手段は、上記記録媒体の排出を禁止する位置と禁止しない位置を移動可能であって、上記排出を禁止しない位置にある場合には、上記排出禁止手段は、開放位置にある上記蓋部材の閉止方向ヘの移動を阻止することを特徴とする請求項１乃至３記載の記録媒体収納装置。
【請求項５】
上記蓋部材には、さらに外部から当該記録媒体収納装置への浸水を防止するための防水手段が備えられていることを特徴とする請求項１乃至４記載の記録媒体収納装置。
【請求項６】
上記排出禁止手段が排出を禁止する位置にあることを検出する検出手段を備えたことを特徴とする請求項１乃至５記載の記録媒体収納装置。
【請求項７】
デジタルカメラにおいて、請求項１乃至６記載の記録媒体収納装置を具え、上記記録媒体には撮影画像を記録するにことができることを特徴とするデジタルカメラ。
【請求項８】
デジタルカメラにおいて、上記排出禁止手段が禁止する位置にある場合に、上記記録媒体への上記撮影画像の記録を許可するよう制御する制御手段を備えたことを特徴とする請求項７記載のデジタルカメラ。
【請求項９】
デジタルカメラにおいて、上記蓋部材がカメラ側面の外観部の一部を形成するようにしたことを特徴とする請求項８、または、９記載のデジタルカメラ。
【発明の詳細な説明】
【０００１】
【発明の属する技術分野】
本発明は、撮影画像や音声等を記録する記録媒体を収納するための記録媒体収納装置および上記記録媒体収納装置を備えたデジタルカメラに関する。
【０００２】
【従来の技術】
従来、デジタルカメラ等の携帯機器では、データ記録用の記録媒体の収納部と電源供給用のＤＣコネクタやデータ入出力用のコネクタ（ＵＳＢコネクタ，ＮＴＳＣコネクタ）が、外部に露出可能な状態で機器本体に備えられている。そして、上記記録媒体は、画像データや音声データを記録するために利用されるが、デジタルカメラ等の携帯機器では、上記記録媒体の着脱は一般に手動操作でなされる。このように記録媒体の着脱を手動操作で行うのは、機器に上記記録媒体の自動排出機構を備えると機器の大型化や電池の消耗を招いてしまうからである。
【０００３】
上述のように記録媒体の着脱が手動で行なわれる故に、記録媒体への書込みや読み出し中に、使用者によって不用意に記録媒体の排出操作がなされると、書込み中のデータが無効になるばかりでなく、場合によっては、記録媒体の記録部自体が破壊されてしまうおそれがある。
【０００４】
そこで、上述のような不具合の発生を防止するために提案されたものとして、例えば、特許文献１に記載のデジタルカメラにおける記録媒体収納装置は、記録媒体収納部に開閉可能な蓋とその蓋の開閉を検出するセンサを設けたものであり、上記蓋が開放されている場合には書込み読み出し（アクセス）を禁止し、更に、アクセス中に蓋が開けられた場合には、強制的にアクセス動作を終了するよう制御して記録媒体を保護するようにしたものである。
【０００５】
また、特許文献２に記載のカメラ装置の記録媒体収納装置は、記録媒体のイジェクトボタンに保護カバーを付けて、不用意な排出を防止するものである。
【０００６】
さらに、特許文献３に記載の電子カメラは、媒体収納部と外部接続コネクタを同一箇所に配置し、同一の共通の蓋で保護するようにしたものであり、カメラを小型化するために好適な構造を有する。
【０００７】
【特許文献１】
上記特許文献１は、特許公開公報２００１−２０３９２１号である。
【０００８】
【特許文献２】
上記特許文献２は、特許公開公報２００１−１４７４７２号である。
【０００９】
【特許文献３】
上記特許文献３は、特許公開公報２０００−１３１７４５号である。
【００１０】
【発明が解決しようとする課題】
しかし、上記特許文献１に記載の記録媒体収納装置によれば、記録媒体の保護は可能であるけれども、アクセス動作中であっても直接的に上記蓋を開放できるので、書き込み、または、読み出しが不完全の状態が生じやすいといった問題があった。
【００１１】
また、上記特許文献２に記載の記録媒体収納装置では、上記保護カバーがあって、イジェクト操作がやりにくいといった問題があった。
【００１２】
さらに、上記特許文献３に記載の記録媒体収納装置では、従来の記録媒体収納装置ように蓋の開閉に応じて記録媒体へのアクセスを制御するようにすると、コネクタを繋いだ状態では蓋を開放しなければならなくなる。したがって、コネクタ使用時には記録媒体を使用できなくなってしまう。しかし、蓋の開閉によらずに媒体へのアクセスを許可するようにすると、アクセス中の記録媒体を不用意に排出して記録媒体を破壊するおそれが生じる。
【００１３】
本発明は、上述した問題を解決するためになされたものであり、記録媒体と外部機器とのコネクタ部を保護する蓋部材有する記録媒体収納装置において、記録媒体の保護とコネクタの利用が両立でき、確実な記録媒体への記録、または、読み取りが可能な記録媒体収納装置を提供することを１つ目的とし、上記記録媒体収納装置を搭載したデジタルカメラを提供することを他の１つの目的とする。
【００１４】
【課題を解決するための手段】
本発明の請求項１記載の記録媒体収納装置は、記録媒体収納用の開口と、上記開口の近傍に配置され、機器内部と電気的な接続を行なうためのコネクタ部と、上記開口の近傍に配置され、上記開口に収納された記録媒体の排出操作を選択的に禁止する排出禁止手段と、上記開口と上記コネクタ及び上記排出禁止手段を外部から保護するための開閉可能な蓋部材とを備えている。
【００１５】
本発明の請求項２記載の記録媒体収納装置は、請求項１記載の記録媒体収納装置において、上記排出禁止手段は、上記排出操作を禁止するときには上記開口に装着された記録媒体の露出した端部の少なくとも一部を覆うようなカバー部を備えている。
【００１６】
本発明の請求項３記載の記録媒体収納装置は、請求項２記載の記録媒体収納装置において、上記記録媒体の突出した端部の中で上記排出禁止手段によって覆われていない部分に沿うように、上記開口の近傍に突出部を形成する。
【００１７】
本発明の請求項４記載の記録媒体収納装置は、請求項１乃至３記載の記録媒体収納装置において、上記排出禁止手段は、上記記録媒体の排出を禁止する位置と禁止しない位置を移動可能であって、上記排出を禁止しない位置にある場合には、上記排出禁止手段は、開放位置にある上記蓋部材の閉止方向ヘの移動を阻止する。
【００１８】
本発明の請求項５記載の記録媒体収納装置は、請求項１乃至４記載の記録媒体収納装置において、上記蓋部材には、さらに外部から当該記録媒体収納装置への浸水を防止するための防水手段が備えられている。
【００１９】
本発明の請求項６記載の記録媒体収納装置は、請求項１乃至５記載の記録媒体収納装置において、上記排出禁止手段が排出を禁止する位置にあることを検出する検出手段を備えている。
【００２０】
本発明の請求項７記載のデジタルカメラは、請求項１乃至６記載の記録媒体収納装置を備えており、上記記録媒体には撮影画像を記録するにことができる。
【００２１】
本発明の請求項８記載のデジタルカメラは、請求項７記載のデジタルカメラにおいて、上記排出禁止手段が禁止する位置にある場合に、上記記録媒体への上記撮影画像の記録を許可するよう制御する制御手段を備えている。
【００２２】
本発明の請求項９記載のデジタルカメラは、請求項８、または、９記載のデジタルカメラにおいて、上記蓋部材がカメラ側面の外観部の一部を形成する。
【００２３】
【発明の実施の形態】
以下、本発明の実施の形態を図に基づいて説明する。
図１は、本発明の一実施形態である記録媒体収納装置を内蔵するデジタルカメラのブロック構成図であり、図２は、上記デジタルカメラの外観（レンズバリア閉，コネクタ蓋閉状態）を示す斜視図である。
【００２４】
上記実施形態のデジタルカメラ（以下、カメラと記載する）１は、図１に示すように本カメラ１の全制御を司る制御手段としてのＣＰＵ２と、被写体光による被写体画像を取り込み、電気撮像信号に変換して出力するための撮影部３と、上記電気撮像信号を取り込み、画像処理可能なデジタル撮像信号を出力する撮像部（撮像回路部）６と、上記デジタル画像信号を一時的に記憶するＤＲＡＭ７と、上記デジタル画像信号をメモリに記録可能、かつ、モニタに表示可能な画像データに変換処理する画像処理部（画像処理回路部）８と、上記画像データを表示するための画像表示部（ＬＣＤ表示部）９と、上記画像データ記録用記録媒体であるメモリカード２０が着脱可能なカードスロット１０と、上記画像データを外部機器に転送するための外部Ｉ／Ｆ部１１と、外部Ｉ／Ｆに接続されるビデオ出力端子（コネクタ）部１２およびＵＳＢ端子（コネクタ）部１３と、装着されたメモリカード２０を覆う位置に回動可能な記録媒体の排出禁止手段であるカード蓋３９と、カード蓋３９の開閉状態を検出する検出手段である蓋センサ１５と、カード開口部４１ａ，カード蓋３９，ビデオ出力端子部１２，ＵＳＢ出力端子部１３等を覆うための蓋部材であるコネクタ蓋３８と、電源用電池１６と、外部電源が接続可能なコネクタであるＤＣ−ＩＮ端子部１４と、上記電池１６およびＤＣ−ＩＮ端子部１４と接続され、各制御回路部に対して駆動電力を供給する電源部（電源回路部）１７とを有してなる。
【００２５】
ＣＰＵ２には、通信用バス１８を介して上記撮影部６，ＤＲＡＭ７，画像処理部８，画像表示部９，カードスロット１０，外部Ｉ／Ｆ部１１等とが接続されており、それらの回路部とのデータの授受が行われ、ＣＰＵ２により撮影，画像処理，メモリカードへの画像記録の制御、および、電源部１７の出力電圧の制御等が実行される。
【００２６】
そして、ＣＰＵ２には、上記蓋センサ１５の出力が接続されており、カード蓋３９の蓋開閉信号が取り込まれる。ＣＰＵ２は、上記蓋開閉信号に基づき、メモリカード２０への撮影画像データの記録，読み出しを許可，不許可を制御する。すなわち、カード蓋３９がメモリカード２０を排出禁止する閉位置にあるときのオン信号に基づいて上記画像データの記録，読み出しを許可し、カード蓋３９がメモリカード２０を排出禁止しない開位置にあるときのオフ信号に基づいて上記画像データの記録，読み出しを許可しないように制御する。
【００２７】
上記撮影部３は、撮影レンズ部４と、撮像部６を介して駆動制御されるＣＣＤ等の撮像素子５を有してなり、上記撮影レンズ４を介して取り込まれた被写体像の情報が上記撮像素子５にて電気撮像信号に変換される。上記電気撮影信号は、撮像部６にてデジタル処理が施され、デジタル画像データとしてＤＲＡＭ７上に一時的に格納される。上記画像データは、画像処理部８においてメモリカードへ記録するための圧縮伸張処理等が施され、あるいは、画像表示部９や外部モニタ等に表示するための表示画像処理等が施される。
【００２８】
図２に示すように本実施形態のカメラ１の外装部は、主に前カバー３２と、中カバー３３と、後カバー３４とを有してなる。上記各カバーは外装面を形成する金属薄板がプラスチックの内部カバーに両面接着テープおよび接着剤により貼り付けられている。また、前カバー３２と、中カバー３３と、後カバー３４は、組み立て時に図示しないビスを挿通、螺着して一体化される。
【００２９】
上記前カバー３２の前面部には、ガイド溝３２ａにより左右方向にガイドされて移動可能なレンズバリア３５が装着されている。上記レンズバリア３５は、前カバー３２内に組み込まれる撮影部（レンズ鏡筒部）３の撮影レンズ４を覆う閉鎖位置と撮影レンズ４の前面を開放する開放位置にスライド操作可能である。レンズバリア３５が開放位置にあるときは、撮影部３の撮影レンズ４は、撮影可能位置に繰り出し可能である。
【００３０】
上記中カバー３３の上面部には、撮影開始を指示するためのレリーズ操作釦３６が配置されている。上記後カバー３４の背面上部には、ファインダ接眼部３７が配置されている。
【００３１】
そして、前カバー３２と中カバー３３の左方側端部には、回動可能に支持される前記コネクタ蓋３８が配置されている。このコネクタ蓋３８は、後述するように前カバー３２と中カバー３３の左方側に配置されるコネクタ部／カード装着部を覆うための蓋部材であり、閉鎖状態では、前カバー２，中カバー３，後カバー４と共にカメラの外観面の一部を形成する。
【００３２】
次に、本実施形態のカメラ１における上記コネクタ蓋３８および上記コネクタ部／カード装着部からなる記録媒体収納装置の構成，作用について図３〜８を用いて詳細に説明する。
【００３３】
なお、図３は、上記コネクタ蓋を開放した状態での上記コネクタ部／カード装着部まわりの斜視図である。図４は、カード装着部まわりの分解斜視図である。図５は、カード装着部におけるカード蓋を図４のＢ方向から見た斜視図である。図６は、上記コネクタ部／カード装着部まわりの斜視図であって、メモリカード挿入状態とビデオ信号接続プラグ，ＵＳＢ接続プラグを合わせて示した斜視図である。図７，８は、図３のＡ−Ａ断面を示しており、図７は、コネクタ蓋開放、かつ、カード蓋開放状態、図８は、コネクタ蓋開放、かつ、カード蓋開放状態をそれぞれ示している。
【００３４】
上記カード装着部に装着されるメモリカード２０は、フラッシュメモリタイプの記録媒体であって、図３に示すように後述するカード挿入開口部４１ａを通してカメラ本体内のカードスロット１０に装填可能である。このメモリカード２０の挿入押圧側端部２０ａは、凸状湾曲形状端面を形成している。上記メモリカード２０は、カードスロット１０の所定位置まで押圧挿入されたとき、カードスロット内部に備えられたロック機構によって装填位置にロックされる。上記装填状態にあるメモリカード２０の挿入押圧側端面２０ａを再度押圧操作すると、上記ロックが解除され、メモリカード２０は、取り出し可能な状態となる。
【００３５】
図３に示すように前カバー３２と中カバー３３の左方側に配置される上記コネクタ部／カード装着部は、前カバー３２と中カバー３３の左方に配置されるコネクタ・カード室４１と、装着されたメモリカード２０の一部を覆う上記カード蓋３９と、カード蓋３９を回動支持するカード蓋軸４３と、カード蓋軸用の軸押さえ板４１ｊと、上記コネクタ・カード室４１内部のコネクタ部やカード開口部やカード蓋等を覆い、保護する蓋部材である上記コネクタ蓋３８と、ハンドストラップ用軸を兼ね、コネクタ蓋３８を回動支持するコネクタ蓋軸４２とを有してなる。
【００３６】
上記コネクタ・カード室４１には、後述するコネクタ用端子開口部やカード挿入開口部等を囲む内周壁面４１ｉと、上方側に配されるカード挿入開口部４１ａと、下方側に配されるビデオ出力端子開口部４１ｇおよびＵＳＢ端子開口部４１ｈと、カード挿入開口部４１ａの側面に沿って配されるカード操作阻止用突出部４１ｄおよびカード蓋閉位置保持用突起部４１ｃと、蓋センサ開口部４１ｅと、２つの軸支持ブロック４１ｂとが設けられる。
【００３７】
上記カード挿入開口部４１ａに対向するカメラ本体側内方部には、図示しない電気基板に実装されたメモリカードスロット１０が位置している。
【００３８】
上記ビデオ出力端子開口部４１ｇおよびＵＳＢ端子開口部４１ｈのカメラ本体側内方部には、ビデオ出力端子（コネクタ部）１２、または、ＵＳＢ端子（コネクタ部）１３が配されており、それぞれ外部機器のビデオ接続プラグ５１、または、ＵＳＢ接続プラグ５２が接続可能である（図６）。
【００３９】
上記蓋センサ開口部４１ｅのカメラ本体側内部には、カード蓋の開閉状態を検出する上記蓋センサ１５が配置されている（図７，８）。そして、上記蓋センサ１５のアクチュエータ部１５ａが上記開口４１ｅに僅かに突出した状態で位置している。
【００４０】
上記２つの軸支持ブロック４１ｂは、図４に示すように離間して配置され、上記突出部４１ｄ，突起部４１ｃの近傍に上記開口４１ａに沿って対向する状態で配置され、それぞれカード蓋軸４３が挿入される凹部４１ｂｂを有している。
【００４１】
上記カード蓋３９には、カード蓋軸４３が回転自在に嵌入する軸穴３９ａと、軸穴３９ａに平行な方向で挿入されるメモリカード２０の挿入押圧側端面部２０ａの湾曲に合わせた凹状のカバー部であるカード対向面部３９ｂと、その背面部３９ｃと、上記軸穴３９ａの下方側のボス面上で蓋センサ開口部４１ｅに対向する位置に配される蓋センサ押圧用突起部３９ｄと、上記カード対向面部３９ｂの側部にて上記カード蓋閉位置保持用突起部４１ｃに対向する位置に配される突起部３９ｅとが設けられる。
【００４２】
上記カード蓋３９は、カード軸蓋４３を介して軸支持ブロック４１ｂに回動可能に支持される。すなわち、上記カード蓋３９の軸穴３９ａに挿通したカード蓋軸４３を軸支持ブロック４１ｂの凹部４１ｂｂに挿入して取り付け、カード蓋軸４３の両端を軸押さえ板４１ｊで押さえ、ビス４５により軸支持ブロック４１ｂに固定する。上記取り付け状態でカード蓋３９は、軸支持ブロック４１ｂに回動可能な状態で支持される。
【００４３】
上記カード蓋３９が装着メモリカード２０を覆う閉位置にあるときは、カード蓋３９の突起部３９ｅの側面３９ｅｅがコネクタ・カード室４１側の突起部４１ｃの側面４１ｃｃに当接するのでカード蓋３９の上記閉位置が保持される。また、メモリカード２０がカードスロット１０に装着され、カード蓋３９が上記閉位置にある状態では、カード蓋３９のカード対向面部３９ｂは、カード開口部４１ａから所定の距離離間しており、装着メモリカード２０の挿入押圧側端面部２０ａに対して僅かな隙間のある状態で覆っているので、メモリカード２０には不要の力が作用しない。
【００４４】
そして、メモリカード２０の挿入押圧側端面部２０ａの上方部分は、カード蓋３９で覆われておらずその一部が露呈している。その露呈部分の側方に上記コネクタ・カード室４１側の突出部４１ｄが位置している。その突出部４１ｄの高さは、装着されているメモリカード２０の挿入押圧側端面部２０ａの突出部４１ｄが位置する部分の高さと略等しい。したがって、上述のように装着メモリカード２０の上方部分は、カード蓋３９で覆われていない状態であるけれども上記突出部４１ｄがあるためにメモリカード２０を押圧操作することが不可能である（図６）。したがって、カード蓋３９を開放しない限り、メモリカード２０を押圧操作できないことになり、メモリカード２０を取り出すことができない。すなわち、カード蓋３９が閉位置にある状態で装着メモリカード２０は、排出不可能であり、カード蓋３９が開放位置にある状態で装着メモリカード２０は、排出可能である。
【００４５】
また、カード蓋３９が閉位置に向けて回動させたとき、蓋センサ押圧用突起部３９ｄで蓋センサ１５のアクチュエータ１５ａをオン方向に押圧する（図８）。したがって、カード蓋３９が閉位置にあるときは、蓋センサ１５よりオン信号がＣＰＵ２に出力される。
【００４６】
上記コネクタ蓋３８は、後カバー３４の軸支持部３４ａに挿通しているコネクタ蓋軸４２を軸穴３８ｂに嵌入させた状態で回動可能に支持され、上記回動によりコネクタ・カード室４１を開閉する。また、コネクタ蓋３８には、内周部にコネクタ部やカード開口部を防水するための防水手段を構成する枠状のゴムパッキン４４が装着されている。
【００４７】
上記ゴムパッキン４４は、コネクタ蓋３８が閉位置にあるとき、図８に示すようにコネクタ・カード室４１の内周壁面４１ｉに圧入状態で嵌め合わされ（上記圧入時の締め代は、図８の寸法ｄ０  で示される）、上記内周壁面４１ｉ内のカード挿入開口部４１ａ，蓋センサ開口部４１ｅ，ビデオ出力端子開口部４１ｇ，ＵＳＢ端子開口部４１ｈおよびカード蓋まわりが防水状態に保持される。
【００４８】
なお、コネクタ蓋３８が閉位置にあるときは、コネクタ蓋３８の下部に設けられる突起３８ａがコネクタ・カード室４１の凹部４１ｆに係合し、ロックされる。そのロック状態でコネクタ蓋３８を開放方向に回動操作すると上記ロック状態が開放され、コネクタ蓋３８を開放することができる。
【００４９】
上述した構成を有する本実施形態のカメラ１におけるメモリカードの着脱およびそれに関連する動作について図７，８等を用いて説明する。
メモリカード２０を装着する場合、図７に示すようにコネクタ蓋３８を開放し、さらに、カード蓋３９も開放状態とする。このカード蓋３９の開放状態のままで、コネクタ蓋３８を閉鎖方向に回動させた場合は、もし、メモリカード２０がメモリカードスロット１０に装着されていたとしても不完全な装着状態であることからカード蓋３９のカード側端面３９ｂのエッヂ部にコネクタ蓋３８のゴムパッキン４４が当接する（図７）。したがって、コネクタ蓋３８を閉じることができず不完全状態であることを使用者は認識することができる。つまり、蓋センサ１５による警告がある以前に不完全状態にあることがわかる。
【００５０】
メモリカード２０をカード開口部４１ａを通してカードスロット１０に装填し、さらに、カード蓋３９を閉じると、蓋センサ押圧用突起３９ｄでアクチュエータ１５ａが押圧され、蓋センサ１５よりカード蓋閉じ状態を示すオン信号がＣＰＵ２に出力される。この状態であれば、コネクタ蓋３８は、閉位置まで回動することができ、コネクタ・カード室内が防水状態となる（図８）。
【００５１】
上記カード蓋３９が閉位置にあるとき、すなわち、蓋センサ３８の出力がオンである状態で、メモリカード２０がカードスロット１０に装着されていれば、ＣＰＵ２の指示にしたがって、画像処理部８で処理された画像データがカードスロット１０を介してメモリカード２０へ書き込みが可能な状態となる。
【００５２】
もし、カード蓋３９が完全に閉位置に到達していないような場合、コネクタ蓋３８を閉じることによって、コネクタ蓋３８の内面でカード蓋３９の背面部３９ｃを押圧し、カード蓋３９を正常な閉位置に回動させることができる。
【００５３】
図６に示すように上記ビデオ出力端子部１２やＵＳＢ端子部１３にビデオ接続プラグ５１、または、ＵＢＳ接続プラグ５２を接続する場合には、上記コネクタ蓋３８は、開放状態にして接続を行う。
【００５４】
例えば、上記ビデオ接続プラグ５１、または、ＵＢＳ接続プラグ５２を接続した状態のまま、メモリカード２０へのデータの書き込み、読み取りを行う必要がある場合には、上述のようにコネクタ蓋３８が開放された状態となっているが、カード蓋３９さえ完全に閉じられていれば、前述したようにメモリカード２０を押圧操作できないのでメモリカード２０を取り出すことはできず、メモリカード２０へのデータの書き込み、読み出しが中断されるなどの不具合が生じない。
【００５５】
なお、上記ＤＣ−ＩＮ端子（コネクタ）部１４は、ビデオ出力端子部１２等とともにコネクタ・カード室４１内に配置することも可能である。
【００５６】
以上、説明したように、本実施形態のカメラ１によると、コネクタ端子部とメモリカード（記録媒体）装着部とを１つの蓋部材であるコネクタ蓋３８で保護し、上記コネクタ端子部とメモリカード（記録媒体）装着部とをまとめて防水保護することが可能であり、構造が簡単になる。また、上記コネクタ端子に外部のコードを接続した状態であり、コネクタ蓋３８が開放されている状態であっても排出禁止手段のカード蓋３９が閉じられていれば、装着されているメモリカード２０を引き抜くことができないので、上記メモリカード２０への書き込み、または、読み出しを確実に行うことができる。
【００５７】
また、メモリカード２０を覆うカード蓋３９の長手方向の長さをメモリカード２０の全幅のうちの一部を残した状態で覆うような長さに設定している。そして、カード蓋から露呈する部分には、カード操作阻止用突出部４１ｄを配置してメモリカード２０を押圧不可能とする。このようにしてカード蓋３９のカバーするべき挿入開口部４１ａに沿った方向の長さを短くしている。
【００５８】
上記コネクタ蓋３８の内部にカード蓋３９を配置したことによって蓋が二重なるために、蓋が１つだけのに比べて、当然、蓋を設けた箇所の寸法（カメラの側端部が膨らんだときのカメラの幅寸法にあたる）が、増加してしまうが、本発明の実施形態では、上述したようにコネクタ蓋の長さを短くするようにしたので、二重の蓋にしたことによる蓋設置箇所の体積や寸法増加を押さえることができ、カメラの大型化を防止している。
【００５９】
カード蓋３９が閉位置に回動していない状態、すなわち、装着メモリカード２０を取り出し可能な状態では、カード蓋３９とコネクタ蓋３８が干渉するのでコネクタ蓋３８を閉じることができず、使用者は、カード蓋３９が正常な状態ではないことを確実に認識することができる。
【００６０】
また、カード蓋３９が閉位置に回動しているかどうかは、蓋センサ１５の出力信号によりＣＰＵ２側に認識されるので、メモリカード２０への書き込み、または、読み取りが確実に行われる。
【００６１】
【発明の効果】
上述のように本発明の記録媒体収納装置および上記記録媒体収納装置を内蔵したデジタルカメラによれば、コネクタと記録媒体の両方を単一の蓋部材で保護することができ、さらに、蓋部材の開放状態であっても、排出禁止手段によって記録媒体の不用意な排出動作を禁止することができるので、記録媒体への確実な書き込みや読み取りが可能になる。
【図面の簡単な説明】
【図１】本発明の一実施形態である記録媒体収納装置を内蔵するデジタルカメラのブロック構成図である。
【図２】上記図１のカメラの外観（レンズバリア閉，コネクタ蓋閉状態）を示す斜視図である。
【図３】上記図１のカメラのコネクタ蓋を開放した状態でのコネクタ部／カード装着部まわりの斜視図である。
【図４】上記図１のカメラのカード装着部まわりの分解斜視図である。
【図５】上記図１のカメラのカード装着部のカード蓋を図４のＢ方向から見た斜視図である。
【図６】上記図１のカメラのコネクタ部／カード装着部まわりの斜視図であって、メモリカード挿入状態にビデオ信号接続プラグ，ＵＳＢ接続プラグを合わせて示した斜視図である。
【図７】上記図３のＡ−Ａ断面図であり、コネクタ蓋開放、かつ、カード蓋開放状態を示す。
【図８】上記図３のＡ−Ａ断面図であり、コネクタ蓋閉放、かつ、カード蓋閉状態を示す。
【符号の説明】
２  …ＣＰＵ（制御手段）
１２  …ビデオ出力端子
（コネクタ部，記録媒体収納装置）
１３  …ＵＳＢ端子
（コネクタ部，記録媒体収納装置）
１５  …蓋センサ
（検出手段，記録媒体収納装置）
２０  …メモリカード（記録媒体）
３８  …コネクタ蓋
（蓋部材，記録媒体収納装置）
３９  …カード蓋
（排出禁止手段，記録媒体収納装置）
３９ｂ…カード対向面部（カバー部）
４１  …コネクタ・カード室
（記録媒体収納装置）
４１ａ…カード開口（記録媒体収納用開口）
４１ｄ…突出部
４４  …ゴムパッキン（防水手段）
【図１】
2004214973.tif 000003
【図２】
2004214973.tif 000004
【図３】
2004214973.tif 000005
【図４】
2004214973.tif 000006
【図５】
2004214973.tif 000007
【図６】
2004214973.tif 000008
【図７】
2004214973.tif 000009
【図８】
2004214973.tif 000010